(57)【要約】【課題】どのような形状のフィギュアＦでもきれいに見せることができるようにすること。【解決手段】  このショーケース１００は、台座１と、台座１の上側の開口部１ａに取り付けられるステージ板２と、台座１の上部に取り付けられる透明カバー３とからなる。外部からの光Ｌ１は透明カバー３を通じて内部に入り、一部はステージ板２により反射し反射光Ｌ２としてフィギュアＦを下側から照らす。これにより、フィギュアＦの全体に光が均一に照射され、影になって暗くなるようなところが少なくなり、どのような形状のフィギュアＦでも見やすくできる。【選択図】図４
2012200369.tif 000002
【特許請求の範囲】
【請求項１】
フィギュアその他の展示対象物を載せる台座と、
前記台座の前記展示対象物を載せる側に鏡面状の光の反射面を設けたステージ板と、
台座の上部で且つ前記展示対象物を囲うように設けられる透明カバーと、
を備えたことを特徴とするショーケース。
【請求項２】
前記ステージ板は、反射面の裏面に表面とは異なる反射率の面を有し、前記裏面を上にした状態で前記台座の前記展示対象物を載せる側に取り付け可能であることを特徴とする請求項１又は２に記載のショーケース。
【請求項３】
更に、前記台座は中空構造であって、
前記ステージ板がハーフミラーからなり且つ前記中空の台座の開口側に設けられ、
台座内に照明手段が設けられていることを特徴とする請求項１に記載のショーケース。
【請求項４】
フィギュアその他の展示対象物を載せる中空構造の台座と、
前記台座の前記展示対象物を載せる側に光を透過する透過面を有するステージ板と、
前記台座内に設けられた照明手段と、
台座の上部で且つ前記展示対象物を囲うように設けられる透明カバーと、
を備えたことを特徴とするショーケース。
【請求項５】
フィギュアその他の展示対象物を載せる中空構造の台座と、
前記台座の前記展示対象物を載せる側に光を発光する面発光手段を設けたステージ板と、
台座の上部で且つ前記展示対象物を囲うように設けられる透明カバーと、
を備えたことを特徴とするショーケース。
【請求項６】
更に、前記台座は、３ｃｍ以上２０ｃｍ以下の高さを有することを特徴とする請求項１〜５のいずれか一つに記載のショーケース。
【請求項７】
更に、前記透明カバーはＵＶカット機能を備えていることを特徴とする請求項１〜６のいずれか一つに記載のショーケース。
【請求項８】
更に、照明手段を前記透明カバー内の上側に配置したことを特徴とする請求項１〜７のいずれか一つに記載のショーケース。
【発明の詳細な説明】
【技術分野】
【０００１】
本発明は、フィギュア、模型、装飾品等を展示するショーケースに関するものである。
【背景技術】
【０００２】
図９は、従来のコレクションケースの一例を示す斜視図である。このコレクションケース５００は、特許文献１に開示されているように、フィギュアＦを展示するものであって、表面に複数の穴が設けられた台座５０１と、台座５０１の穴に固定される固定台５０２と、固定台５０２及び台座５０１の上部を覆う透明プラスチック製のカバーケース５０３とから構成される。
【０００３】
フィギュアＦは、台座５０１に固定する固定台５０２に装着され、コレクションケース５００内に収納される。前記固定台５０３は、台座５０１の複数の穴に必要な数だけ所望の箇所に取り付け可能である。ユーザは、カバーケース５０３越しに外部からフィギュアＦを見ることができる。
【先行技術文献】
【特許文献】
【０００４】
【特許文献１】特開２００６−６９１１号公報
【発明の概要】
【発明が解決しようとする課題】
【０００５】
上記従来のコレクションケース５００では、カバーケース５０３の上方や側方からフィギュアＦに光を当てると、複雑形状のフィギュアＦの場合、フィギュアＦの下側を向いた部位（例えば、フィギュアＦの腕や足の下側等）が暗くなってしまい、フィギュアＦをきれいに見せることができないという問題点があった。特に、白熱灯等のデスクライトの下では影ができやすいので当該問題は顕著であった。
【０００６】
そこで、この発明は、どのような形状のフィギュアＦでもきれいに見せることができるショーケースを提供することを目的とする。
【課題を解決するための手段】
【０００７】
本発明のショーケースは、フィギュアその他の展示対象物を載せる台座と、前記台座の前記展示対象物を載せる側に鏡面状の光の反射面を設けたステージ板と、台座の上部で且つ前記展示対象物を囲うように設けられる透明カバーとを備えたことを特徴とする。
【０００８】
このショーケースによれば、台座の展示対象物を載せる側に反射面を設けたので、当該反射面で反射した反射光が下側から展示対象物に当たる。これにより、展示対象物の下側を向いている部分にも光が良く当たるので、展示対象物が均一に照らされて見やすくなる。なお、前記鏡面状の反射面は、アクリルミラー、ガラス鏡、研磨金属板等で構成できる。また、展示対象物は、フィギュアに限定されない。
【０００９】
また、本発明のショーケースは、上記発明において、前記ステージ板は、反射面の裏面に表面とは異なる反射率の面を有し、前記裏面を上にした状態で前記台座の前記展示対象物を載せる側に取り付け可能であることを特徴とする。
【００１０】
ステージ板を異なる反射率の面を有するリバーシブル構造とすることで、異なる趣でフィギュアを見ることができる。
【００１１】
また、本発明のショーケースは、上記発明において、更に、前記台座は中空構造であって、前記反射面がハーフミラーからなり且つ前記台座の開口側に設けられ、台座内に照明手段が設けられていることを特徴とする。
【００１２】
このショーケースによれば、ライト等によりハーフミラーを通じて展示対象物を照らす。また、外側の光もハーフミラーにより反射され、展示対象物を照らすことになる。これにより、展示対象物が均一に照らされるので当該展示対象物が見やすくなる。
【００１３】
また、本発明のショーケースは、フィギュアその他の展示対象物を載せる中空構造の台座と、前記台座の前記展示対象物を載せる側の面に設けた光を透過する透過面を有するステージ板と、前記台座内に設けられた照明手段と、台座の上部で且つ前記展示対象物を囲うように設けられる透明カバーとを備えたことを特徴とする。
【００１４】
このショーケースでは、照明手段の光が透過面を通じて展示対象物を照らすので、展示対象物が均一に照らされて見やすくなる。
【００１５】
また、本発明のショーケースは、フィギュアその他の展示対象物を載せる中空構造の台座と、前記台座の前記展示対象物を載せる側に光を発光する面発光手段を設けたステージ板と、台座の上部で且つ前記展示対象物を囲うように設けられる透明カバーとを備えたことを特徴とする。
【００１６】
この発明のように、展示対象物を載せる側の面に面発光手段を設け、この面発光手段により下側から展示対象物を照らすようにすれば、当該展示対象物が均一に照らされて見やすくなる。面発光手段としては、LED（Light Emitting
Diode）光源及び導光板の組みや、EL（Electro Luminescence）パネル等が挙げられる。
【００１７】
また、本発明のショーケースは、上記発明において、更に、前記台座は、３ｃｍ以上２０ｃｍ以下の高さを有することを特徴とする。このように、台座に所定の高さを持たせることで、周囲の文具類や雑貨類によりフィギュアが隠れてしまうことがなく、またフィギュアをローアングルからも見ることができる。
【００１８】
また、本発明のショーケースは、上記発明において、更に、前記透明カバーはＵＶカット機能を備えていることを特徴とする。このようにすれば、紫外線が強い直射日光が当たる環境にもショーケースを置くことができる。
【００１９】
また、本発明のショーケースは、上記発明において、更に、照明手段を前記透明カバー内の上側に配置したことを特徴とする。このように、透明カバー内の上側に照明手段を配置することで、照明手段の光により展示対象物を上から照らすと共に、下から反射した光または照射された光により展示対象物を照らすことになる。これにより、展示対象物が均一に照らされるので、展示対象物が見やすくなる。
【図面の簡単な説明】
【００２０】
【図１】この発明の実施の形態１に係るショーケースを示す斜視図である。
【図２】図１に示したショーケースの組立図である。
【図３】図１に示したショーケースの断面図である。
【図４】ショーケースの使用状態を示す斜視図である。
【図５】この発明の実施の形態２に係るショーケースを示す説明図である。
【図６】図５に示すショーケースの変形例を示す説明図である。
【図７】図５に示すショーケースの変形例を示す説明図である。
【図８】この発明の実施の形態３に係るショーケースを示す断面構成図である。
【図９】従来のコレクションケースの一例を示す斜視図である。
【発明を実施するための形態】
【００２１】
（実施の形態１）
図１は、この発明の実施の形態１に係るショーケースを示す斜視図である。図２は、図１に示したショーケースの組立図である。図３は、図１に示したショーケースの断面図である。このショーケース１００は、中空構造をした箱状の台座１と、台座１の上側の開口部１ａにはめ込むように取り付けられるステージ板２と、台座１の上部に被せるように取り付けられる透明カバー３とからなる。
【００２２】
台座１は黒色等のアクリル樹脂からなる。前記台座１は、ローアングルからショーケース１００内のフィギュアを見やすいように、高さＨが高い。机上に設置した場合、文具類、雑貨類、書類等が邪魔をしてフィギュアをローアングルから見ることが難しくなる。机上に置かれることが多い、ペン、消しゴム、ステープラ等の文具類、財布、携帯、名刺入れ、計算機等の雑貨類、コミックや雑誌等の本類は、寝かせても３ｃｍ程度の高さがある。一方、あまりに高いと邪魔になることがある。このため、台座１の高さは、３ｃｍ以上２０ｃｍ以下が好ましく、５ｃｍ以上１５ｃｍ以下がより好ましい。この高さを確保することで、机上の文具、雑貨、書類等に邪魔されることなく、フィギュアをローアングルでも見ることができる。特に、机の高さは通常７０ｃｍ〜７５ｃｍ程度であり、ここから更に３ｃｍ以上の高さが加わることで、ユーザが椅子に座った状態、或いは近くのソファに座った状態において、内部のフィギュアを見やすくできる。
【００２３】
また、前記ステージ板２は、鏡面状の光の反射面を備え、軽量かつ加工が容易で割れにくいアクリルミラーからなる。ステージ板２は、表面の全体をミラー面としても良いし、表面の中央付近を非ミラー面としたロの字形状のミラー面としても良い（図示省略）。ステージ板２は、アクリルミラーの他、ガラス製のミラーをアクリル樹脂板に貼り付けた構造としても良い。この場合、フィギュアＦを載せてもミラー面に傷が付き難いので、長期間きれいなミラー面を維持できる。また、ステージ板２は、ステンレス等の金属板にバフ研磨等で鏡面加工を施したもので構成しても良い。金属板の場合、丈夫であり、ショーケース１００全体に重量感を持たせることができるので、高級感が得られる。
【００２４】
また、ステージ板２は、リバーシブル構造であって、裏返した状態で台座１に取り付け可能である。ステージ板２の前記ミラー面２ａの裏面は通常の反射率又は低反射率の床面２ｂとなる。床面２ｂは、ステージ板２を構成するアクリル素材そのもので構成しても良いし、反射を抑制して高級感を出すために布等を張り付けた低反射面としても良い。床面２ｂには、必要により模様を施すこともできる。更に、このステージ板２は、複数枚用意しておいても良い。その場合、予備のステージ板２は、台座１の内部に収納できるようにするのが良い（図示省略）。
【００２５】
透明カバー３は、透明のアクリル樹脂からなり、ＵＶカット機能を備えている。ＵＶカットアクリル板を用いる場合、フィギュアの変色や劣化を防止できる。また、透明カバー３は、反射率が３％以下の低反射率のノングレア板としても良い。この場合、透明カバー３の表面のギラツキや照明の写り込みが減少し、フィギュアをよく見ることができる。更に、透明カバー３には、ブラックライトに反応して発光するアクリル集光板を用いても良い。この場合、ブラックライトの下に置くことで、イメージを変えてフィギュアを見ることができる。
【００２６】
図４は、このショーケースの使用状態を示す斜視図である。ユーザは、台座１のステージ板２の表面にフィギュアＦを載せる。フィギュアＦは、ステージ板２に対して両面テープ等により固定するが、固定方法はこれに限定されない。次に、フィギュアＦをステージ板２に載せた状態で台座１に透明カバー３を被せて固定する。
【００２７】
外部からの光Ｌ１は透明カバー３を通じて内部に入り、一部はステージ板２により反射し反射光Ｌ２としてフィギュアＦを下側から照らす。例えば、机上にこのショーケース１００を置き、上方又は斜め方向からデスクライト等の光が入ると、透明カバー３を通じてフィギュアＦが照らされると共に、直接光Ｌ１で照らされることができない部分（例えば、フィギュアＦの手足の下側面等）については、ステージ板２のミラー面２ａで反射した反射光Ｌ２により照らされるようになる。これにより、フィギュアＦの全体に光が均一に照射され、複雑形状のフィギュアＦでも影になって暗くなるようなところが少なくなり、ユーザがフィギュアＦを見やすくなる。
【００２８】
また、台座１が高くなっているので、机上の雑貨や書類等に邪魔されることなく、フィギュアＦを見ることができる。また、透明カバー３をＵＶカットアクリル板で構成した場合、紫外線による退色や劣化を防止できるので、ショーケース１００を直射日光が当たる場所等の紫外線の強い所に置くことができる。
【００２９】
また、ステージ板２を裏返して使用する場合、フィギュアＦをミラー面２ａから取り外し、当該ステージ板２を裏返して床面２ｂを上にして台座１に再び設置し、当該床面２ｂにフィギュアＦを取り付ける。床面２ｂは、アクリル素材や布等からなる面であるから、ミラー面２ａとは異なる趣を出すことができる。
【００３０】
なお、このショーケース１００の展示対象物としては、フィギュアＦの他、宝石、時計、プラモデル、文房具、電子機器等の様々なものが対象となる。
【００３１】
（実施の形態２）
図５は、この発明の実施の形態２に係るショーケースを示す説明図である。このショーケース２００は、実施の形態１のショーケース１００のステージ板をハーフミラー４とし、台座１の内部空間１ｂに照明装置５を設けた点に特徴がある。ハーフミラー４には、透明のアクリル板にアルミ蒸着を施したアクリルミラーを用いる。照明装置５は、複数のＬＥＤ６と、ＬＥＤ６の点灯を行う点灯回路７と、電源８と、ＬＥＤ６の点灯消灯を行うスイッチ９とから構成される。ＬＥＤ６は、台座１の上部端縁近傍１ｃに配置されており、ＬＥＤ６の光束が台座１に載せたフィギュアＦに当たるように傾けて配置されている。
【００３２】
このショーケース２００によれば、台座１のハーフミラー４上にフィギュアＦを載せることで、実施の形態１と同様の効果が得られる他、照明装置５によりハーフミラー４を通してフィギュアＦを照らすことでフィギュアＦを下側から積極的に照らすことができる。このため、フィギュアＦ全体に光が均一に照射され、複雑形状のフィギュアＦでも影になって暗くなるところが少なくなり、その結果、フィギュアＦを見やすくなる。特に、デスクライトによりフィギュアＦを照らした場合であって、ハーフミラー４の反射光Ｌ２ではフィギュアＦをうまく照らせないとき、照明装置５による照明が有効となる。なお、上記では透過面としてハーフミラー４を用いたが、白色のアクリル板でも良い。
【００３３】
また、ＬＥＤ６に変えて面発光手段であるＥＬを用いても良い。具体的には、図６に示すように、台座１の開口部１ａに取り付けた上板１０にＥＬ１１を貼り付けるようにする。台座１内には、ＥＬ１１を点灯させる点灯回路１２と、電源１３と、ＥＬ１１の点灯消灯を行うスイッチ１４とが内設される。係る構成によれば、ＥＬ１１を発光させることで、フィギュアＦの下側からフィギュアＦを照らすことができる。特に、ＥＬ１１は面発光するため、フィギュアＦを均一に照らすことが可能となる。なお、ＥＬ１１は、上板１０の全体に設けても良いし、中央付近を除いてロの字形状に設けても良い（図示省略）。
【００３４】
また、面発光手段としてＥＬ１１の他、直下型の導光板１５とＬＥＤ１６とを組み合わせたものを用いても良い。具体的には、図７に示すように、台座１の開口部１ａに導光板１５を取り付け、この導光板１５の下側で且つ台座１の内部に所定数のＬＥＤ１６を配置する。係る構成によれば、ＬＥＤ１６の光は導光板１５に入って台座１の上面から出射される。これにより、面発光する導光板１５によりフィギュアＦを均一に照らすことが可能となる。なお、上記では透過面として導光板１５を用いたが、白色のアクリル板でも良い。
【００３５】
（実施の形態３）
図８は、この発明の実施の形態３に係るショーケースを示す断面構成図である。このショーケース３００は、実施の形態１または２のショーケース１００，２００にフィギュアＦの上方から光を照射する上部照明装置２０を設けた点に特徴がある。この上部照明装置２０は、台座１の端部に立設した自在アーム１８の端部にＬＥＤ１７を取り付けた構成である。ＬＥＤ１７の点灯回路７、電源８及びスイッチ９は台座１に内設されている。
【００３６】
この上部照明装置２０は、自在アーム１８によりフィギュアＦの上方、換言すれば透明カバー３内の上側にＬＥＤ１７を配置しているため、フィギュアＦを上方から照らすと共に、このＬＥＤ１７からの光がステージ板２で反射して下方からフィギュアＦを照らす。これにより、フィギュアＦを均一に照らすことができる。また、フィギュアＦの上の位置にＬＥＤ１７を設けることで、上部照明装置２０のみの光でフィギュアＦを均一に照らすことができる。
【００３７】
また、実施の形態２の構成に上部照明装置２０を設けた場合、フィギュアＦを上方及び下方から積極的に照らすことになるため、暗い中でフィギュアＦが浮かび上がるように照らすことが出来る。更に、ステージ板２を裏返して低反射率の床面２ｂを上にした場合、照明装置２０による光の照射方向を変えることでフィギュアＦにユーザ好みの陰影を付けることができる。
【符号の説明】
【００３８】
１００  ショーケース
１  台座
２  ステージ板
３  透明カバー
４  ハーフミラー
５  照明装置
Ｆ  フィギュア
【図１】
2012200369.tif 000003
【図２】
2012200369.tif 000004
【図３】
2012200369.tif 000005
【図４】
2012200369.tif 000006
【図５】
2012200369.tif 000007
【図６】
2012200369.tif 000008
【図７】
2012200369.tif 000009
【図８】
2012200369.tif 000010
【図９】
2012200369.tif 000011